(57)【要約】  オリジナルファイルフォーマットのＡＶマルチメディアコンテンツのデジタル変換から生じるバイナリデータブロックの圧縮マルチメディアファイルの編集放送方法。オリジナルファイルは名目オリジナルファイルフォーマットの第１修正ファイルと、オリジナルファイル修正情報の付加ファイルに分離される。ポータル（３）から宛先端末（１ｉ，１ｊ，１ｋ）転送前に、第１ファイルを解析してタイムコード抽出する準備段階；第１修正ファイルからインデックスレジスタテーブル作成する第２段階；第１修正ファイルとメタデータ情報を含むオリジナルファイルフォーマットの修正マルチメディアファイル作成する第３段階；修正マルチメディアファイル転送と、修正マルチメディアファイルとは別の手段でオリジナル視聴覚ファイル部分統合を再構成する付加ファイル要素転送段階を含む。
2010508795.tif 000002
【特許請求の範囲】
【請求項１】
圧縮マルチメディアファイルを編集し且つ放送する圧縮マルチメディアファイル編集放送方法であって、前記圧縮マルチメディアファイルはバイナリデータのブロックから形成され、前記圧縮マルチメディアファイルは、親ファイルのフォーマットに従う視聴覚コンテンツまたはマルチメディアコンテンツに適用されるデジタル変換から生じ、前記親ファイルは第１修正ファイルと相補ファイルに分割され、前記第１修正ファイルは名目親ファイルの前記フォーマットを備え、前記相補ファイルは、前記親ファイルにもたらされた修正に関する情報を含み、
前記圧縮マルチメディアファイル編集放送方法は、ポータルから受信端末に転送する前に、
前記第１修正ファイルを解析することによってタイムコードを抽出する準備段階と；
前記第１修正ファイルからインデックスレジスタテーブルを作成する第２段階と；
前記フォーマットに従う修正マルチメディアファイルを作成する第３段階であって、前記修正マルチメディアファイルは、前記第１修正ファイルとメタデータの情報を含むことと；
前記修正マルチメディアファイルを転送し、且つ前記相補ファイルの要素を転送する段階と
を含み、
前記相補ファイルの要素の転送は、前記修正マルチメディアファイルと前記相補ファイルの前記要素とに応じて、前記修正マルチメディアファイルとは別の手段によって、前記受信端末による計算から、オリジナルの視聴覚ファイルの部分統合の再形成を可能にすることを特徴とする、圧縮マルチメディアファイル編集放送方法。
【請求項２】
前記相補ファイルの参照は、前記第２段階において生じる、請求項１記載の圧縮マルチメディアファイル編集放送方法。
【請求項３】
前記第３段階の前記メタデータは、前記準備段階の前記タイムコードを含む、請求項１または２記載の圧縮マルチメディアファイル編集放送方法。
【請求項４】
前記第３段階の前記メタデータは、前記相補ファイルの参照を含む、請求項１〜３何れか一項記載の圧縮マルチメディアファイル編集放送方法。
【請求項５】
前記第３段階の前記メタデータは、前記インデックスレジスタテーブルを含む、請求項１〜４何れか一項記載の圧縮マルチメディアファイル編集放送方法。
【請求項６】
前記修正マルチメディアファイルの全部または一部は、前記ポータルによって送信される、請求項１〜５何れか一項記載の圧縮マルチメディアファイル編集放送方法。
【請求項７】
前記修正マルチメディアファイルの全部または一部は、別の端末によって送信される、請求項１〜６何れか一項記載の圧縮マルチメディアファイル編集放送方法。
【請求項８】
前記修正マルチメディアファイルの全部または一部は、物理メディアを介して送信される、請求項１〜７何れか一項記載の圧縮マルチメディアファイル編集放送方法。
【請求項９】
前記ポータルは、前記受信端末の特性に応じて、前記相補ファイルの何れの要素が前記受信端末に送信されるべきか決定する、請求項１〜８何れか一項記載の圧縮マルチメディアファイル編集放送方法。
【請求項１０】
前記ポータルは、前記親ファイルの権利所有者によって付与された利用条件に応じて、
前記相補ファイルの何れの要素が前記受信端末に送信されるべきか決定する、請求項１〜９何れか一項記載の圧縮マルチメディアファイル編集放送方法。
【請求項１１】
再形成コンテンツの前記部分統合は、前記修正マルチメディアファイルの第１情報の受信と、前記相補ファイルの第１要素の受信とによって実行される、請求項１〜１０何れか一項記載の圧縮マルチメディアファイル編集放送方法。
【請求項１２】
前記修正マルチメディアファイルは、前記修正マルチメディアファイルの抽出物を作成すべく編集される、請求項１〜１１何れか一項記載の圧縮マルチメディアファイル編集放送方法。
【請求項１３】
前記修正マルチメディアファイルの幾つかの抽出物は、新しい修正マルチメディアファイルを作成すべくアセンブルされる、請求項１〜１２何れか一項記載の圧縮マルチメディアファイル編集放送方法。
【請求項１４】
前記修正マルチメディアファイルの抽出物は、１つの前記修正マルチメディアファイルだけに由来する、請求項１〜１３何れか一項記載の圧縮マルチメディアファイル編集放送方法。
【請求項１５】
前記修正マルチメディアファイルの抽出物は、幾つかの前記修正マルチメディアファイルに由来する、請求項１〜１３何れか一項記載の圧縮マルチメディアファイル編集放送方法。
【請求項１６】
請求項１〜１５のうちの少なくとも一項記載の圧縮マルチメディアファイル編集放送方法を実施するための圧縮視聴覚ファイル転送システムであって、前記圧縮視聴覚ファイル転送システムは、
１つの前記修正マルチメディアファイルを作成するファイル作成装置と；
視聴覚フローを操作する操作装置と；
前記ファイル作成装置と前記操作装置の間の少なくとも１つの通信ネットワークと
を含む、圧縮視聴覚ファイル転送システム。
【発明の詳細な説明】
【技術分野】
【０００１】
本発明は、視聴覚マルチメディアファイルとコンテンツを制御編集および放送する方法と、システムとを提供する。本発明は、認定ユーザに任意の視聴覚マルチメディアファイルとコンテンツを、認定ユーザによって制御編集し放送することに関する。
【背景技術】
【０００２】
全般的課題は、ビデオではＭＰＥＧ型、静止画像ではＪＰＥＧ型、または音声ではＭＰ３型の圧縮デジタル視聴覚マルチメディアファイルを、認定ユーザに制御的に拡散できるデバイスを提供することにある。更に、前記認定ユーザが、１つまたは幾つかの独立した視聴覚マルチメディアファイルのうちの１つまたは幾つかの抽出物から、新しい視聴覚マルチメディアファイルを作成することによって、前記ファイルを編集できるようにするデバイスを提供することにある。
【０００３】
本解決策によって、任意のネットワーク型を介して、デジタル型でマルチメディアコンテンツを転送可能である。このように拡散したフラックスの不正侵入を回避するため、コンテンツは、当業者に周知の様々な手段によって、暗号化されることが多い。
【０００４】
しかし本解決策の主な欠点は、ユーザに暗号化コンテンツだけではなく、前記コンテンツの実行を可能にするため、複合キーまたは利用許可もユーザ端末に転送しなければならないことにある。
【０００５】
利用許可が、コンテンツの暗号化後にコンテンツを編集すべく、または同じコンテンツまたは別のコンテンツの別の所定抽出物に組合わせるべく、コンテンツの所定部分を抽出できることを考慮に入れなかったなら、この機能は一般的には実行不能である。
【０００６】
従って、本リアルタイム放送解決策（ストリーミング）またはダウンロード解決策は、たとえば極めて効果的な許可によって保護される場合、前記コンテンツを編集できないなどの主要欠点を有する。また逆に、暗号化方法が十分ではない場合、邪悪なユーザに、このような拡散コンテンツの不認可コピーを作成する虞がある。
【０００７】
ダウンロードの別の欠点は、ユーザがそのうちの１つの抽出物だけを見たくても、またはファイルの開始時点とは別の時点で開始したくても、ファイルを完全にダウンロードしなくてはならないことである。
【０００８】
これらの条件下での解決策は、親デジタルファイルを２つの部分に分離することにある。２つの部分は、何れも単独では使用され得ない。この考えを考慮した幾つかの特許が出願されている。従って、前記の考えは、少なくとも２つの部分に分解することによって、デジタル製品（暗号化を用いるソフトウエア、音声、またはビデオコンテンツ）を保護するシステムを開示するマイクロソフト社の特許から公知である（たとえば特許文献１参照）。両部分は、分離後に暗号化され、個々の方法によって、ユーザの装置に全体として且つ一体化して転送される。受信装置による両部分の再結合は、オリジナル製品と実質的に等価である。更に、ユーザ装置にだけ適当な修正デジタル製品を再作成するキーを用いて、実施される。システムは、両部分を再結合することによって、新しいデジタル製品を作成する。よって、抽出物を作成すべく新しいデジタル製品の編集が不可能であることは、保証できない。何故なら全デジタル製品は、所定の機械によって再作成されるからである。システムは、いずれの抽出物のアセンブルも許可しない。
【０００９】
少なくとも２つのセグメントにファイルを分割することによって、そしてファイルの１つまたは幾つかのセグメントを検索することによって、音声ファイルの編集を可能にする最先端における解決策も公知である（たとえば特許文献２参照）。前記特許は、１セットの音声を提供し、前記セットから１つまたは幾つかのセグメントを検索することによって特殊なファイルを作成し、復号キーを提供し、特殊ファイルを暗号化する。更に第１通信チャンネルを用いて暗号化特殊ファイルを通信し、第２通信チャンネルを用いて検索セグメントを通信することを特徴とする、データ暗号化方法を提供する。
【先行技術文献】
【特許文献】
【００１０】
【特許文献１】国際公開ＷＯ  ０１／６９３５４号
【特許文献２】国際公開ＷＯ  ００／４９５９７号
【発明の概要】
【発明が解決しようとする課題】
【００１１】
そのような解決策の欠点は、転送された特殊ファイルの利用を制御できないことにある。合法的所有者、不正所有者、あるいは復号キーは、ファイルを無条件且つ恒久的に使用可能である。ネットワークにおいてマルチメディアファイルのフリーフローを制御する課題は、まだ解決されていない。
【課題を解決するための手段】
【００１２】
これらの様々な欠点を改善するため本発明は、権利所有者が、電気通信ネットワークに接続する速度とは無関係に、端末のユーザにとって最大の快適さと読取品質で、視聴覚マルチメディアコンテンツをインターネットで自由に拡散および公開できるようにする。また本発明は、ユーザが幾つかの抽出物を読み、抽出物を編集し、更に所有者の権利の制限内で放送できる新しい視聴覚マルチメディアファイルに、抽出物をアセンブルできることを目的にしている。
【００１３】
このため本発明は、バイナリデータブロックからなる圧縮マルチメディアファイルを、編集し放送する方法に関する。圧縮マルチメディアファイルは、親ファイルのフォーマットに従う視聴覚コンテンツ、またはマルチメディアコンテンツに適用されるデジタル変換から生じる。親ファイルは、名目親ファイルのフォーマットを備える第１修正ファイルと、親ファイルにもたらされた修正に関する情報を含む相補ファイルとに分割される。方法は、ポータルから受信端末に転送する前に、
タイムコードを抽出すべく、第１ファイルを解析する準備段階と；
第１修正ファイルからインデックスレジスタテーブルを作成する第２段階と；
親ファイルのフォーマットに従う修正マルチメディアファイルを作成する第３段階であって、フォーマットは第１修正ファイルと、メタデータとに関する情報を含むことと；
修正マルチメデァファイルを転送し、且つ相補ファイルの要素を転送する段階と
を含む。相補ファイルの要素の転送は、マルチメディアファイルとは別の手段によって、修正マルチメディアファイルと相補ファイルの要素に応じて、受信端末による計算から、オリジナル視聴覚ファイルの部分統合を再形成できるようにすることを特徴とする。
【００１４】
好適には、相補ファイルの参照は、第２段階中に生じる。
好適には、第３段階のメタデータは、準備段階由来のタイムコードを含む。
好適には、第３段階のメタデータは、相補ファイルの参照を含む。
【００１５】
好適には、第３段階由来のメタデータは、インデックスレジスタテーブルを含む。
特定の実施形態において、修正マルチメディアファイルの全部または一部は、ポータルによって送信される。
【００１６】
好適には、修正マルチメディアファイルの全部または一部は、別の端末によって送信される。
好適には、修正マルチメディアファイルの全部または一部は、物理メディアによって送信される。
【００１７】
別の実施形態において、ポータルは、受信端末の特性に応じて、相補ファイルのうちの何れの要素が受信端末に送信されるべきか決定する。
好適には、ポータルは、親ファイルの権利所有者によって付与された利用条件に応じて、相補ファイルの何れの要素が受信端末に送信されるべきか決定する。
【００１８】
特定の実施形態において、再作成コンテンツの部分統合は、修正マルチメディアファイル（３４）の第１情報の受信と、相補ファイル（３３）由来の第１要素の受信とによって実行される。
【００１９】
別の実施形態において、修正マルチメディアファイルは、修正マルチメディアファイルの抽出物を作成すべく、編集される。
好適には、修正マルチメディアファイルの幾つかの抽出物は、新しい修正マルチメディアファイルを作成すべく、アセンブルされる。
【００２０】
好適には、修正マルチメディアファイルの抽出物は、たった１つの修正マルチメディアファイルから生じる。
好適には、修正マルチメディアファイルの抽出物は、幾つかの修正マルチメディアファイルから生じる。
【００２１】
最終的に、本発明は、前記方法を実施する圧縮視聴覚ファイルを転送するシステムに関する。システムは、ファイル作成装置と操作装置を特徴とする。ファイル作成装置は、１つの修正マルチメディアファイルを作成する。操作装置は、ファイル作成装置と操作装置の間の視聴覚フローを操作する。
【００２２】
従って、本発明は、このように放送または編集された新しいファイルと視聴覚マルチメディアコンテンツのコピー利用と、利用条件を総合的に制御できるようにする。これらの条件は、親コンテンツの権利所有者によって付与される。
【００２３】
本発明は、以下の非限定的な模範実施形態の説明を読み、添付図面を参照することによって、より良く理解されるだろう。
【図面の簡単な説明】
【００２４】
【図１】本発明に従う方法を実施する、システムの全体構造。
【図２】本発明に従う、ポータルの構造。
【図３】本発明に従う、受信端末の特定の実施形態。
【発明を実施するための形態】
【００２５】
図１において、端末１ｉ，１ｊ，１ｋのユーザが視聴覚コンテンツを視聴したい場合、ユーザは、電気通信ネットワーク２からポータル３に要求する。次にポータル３は、対応視聴覚マルチメディアコンテンツに対応する相補要素を、送信すべきか否か決定する。
【００２６】
この段階の前に、図２に示すように、親視聴覚マルチメディアコンテンツ３１は、ポータル３によって作成される。各々の視聴覚ファイル３１は、圧縮デジタル型で示されると共に、親ファイルのフォーマットに従う視聴覚マルチメディアコンテンツに適用されたデ
ジタル変換から生じるバイナリデータブロックからなる。親コンテンツ３１のオリジナルフォーマットは、たとえばビデオではオリジナルフォーマットＭＰＥＧ−２、ＭＰＥＧ−４、またはＨ２６４を備えるファイルである。音声ファイルの場合には、オリジナルフォーマットＭＰ３、またはＡＡＣ（Ａｄｖａｎｃｅｄ  Ａｕｄｉｏ  Ｃｏｄｉｎｇ）を備えるファイルである。あるいは静止画像または写真ファイルの場合には、オリジナルフォーマットＪＰＥＧのファイルである。
【００２７】
親コンテンツ３１は、まず少なくとも２つの部分、つまり第１修正ファイル３２と相補ファイル３３に分割される。第１修正ファイル３２は、名目親ファイルのフォーマットを備える。相補ファイル３３は、任意のフォーマットを備え、且つ親ファイル３１にもたらされた修正に関する情報を含む。親ファイル３１の再作成は、第１修正ファイル３２と相補ファイル３３の両ファイルだけから行うことが可能であり、両ファイルのうちの１つからだけでは行うことができない。
【００２８】
第１段階において、第１修正ファイル３２は、第１修正ファイル３２の時間インデックスに対応するタイムコードを抽出できるように、ポータル３によって解析される。
好適には、親ファイル３１は、第１修正ファイル３２の時間インデックスに対応するタイムコードを抽出できるように、ポータル３によって解析される。
【００２９】
第２段階において、タイムコードは、インデックスレジスタテーブル３５を作成するために、インデックスまたはキーワードに組合わされる。インデックスレジスタテーブル３５は、コンテンツのテーブルに対応し、たとえばレジスタ配列を含む。各々のレジスタは、第１修正ファイル３２の配列の開始時点、したがって修正マルチメディアファイル３４の配列の開始時点のインデックス、タイムコード、または複数のタイムコードを含む。
【００３０】
たとえばポータル３が一連の動物映画を含む場合、インデックスレジスタテーブル３５のうちの１つのインデックスは、所定の対象、たとえば「ヒョウ」（豹）を扱うコンテンツの全ての部分を「指す」レジスタ配列からなる。
【００３１】
１つまたは幾つかの映画、または「ヒョウ」を扱う映画の抽出物を見たい端末１ｉ，１ｊ，１ｋなどのユーザは、インデックスレジスタテーブル３５を用いることによって、「ヒョウ」を扱うコンテンツの全ての部分にアクセスすることになる。
【００３２】
第３段階において、第１段階中に抽出されたタイムコードは、修正マルチメディアファイル３４と呼ばれる新しいファイルのメタデータに、書込まれる。
別の実施形態において、相補ファイル３３の参照は、修正マルチメディアファイル３４のメタデータに書込まれる。相補ファイル３３の参照は、たとえば相補ファイル３３のポータル３におけるＵＲＬアドレスに対応する。
【００３３】
別の実施形態において、修正マルチメディアファイル３４のメタデータは、親ファイルの所有者によって付与された利用条件を含む。
好適には、修正マルチメディアファイル３４のメタデータは、親ファイルの権利所有者によって付与された利用条件を含む。所有者は、たとえば親ファイルを配給し且つ放送する権利を有する放送局である。
【００３４】
別の実施形態において、修正マルチメディアファイル３４は、第１修正ファイル３２と、第１修正ファイル３２の時間インデックスに対応するタイムコードを封入するＨＴＭＬまたはＸＭＬ型のファイルである。
【００３５】
好適には、インデックスレジスタテーブル３５も、修正マルチメディアファイル３４に
封入される。
別の実施形態において、修正マルチメディアファイル３４は、第１修正ファイル３２の親フォーマットと同じフォーマットを備えるファイルである。修正マルチメディアファイル３４は、第１修正ファイル３２ならびにそのメタデータに、タイムコードと相補ファイル３３の参照を含む。
【００３６】
好適には、インデックスレジスタテーブル３５も、修正マルチメディアファイル３４のメタデータに書込まれる。
そのようなマルチメディアコンテンツの処理段階後、修正マルチメディアファイル３４は、インターフェイス３６を介して、電気通信ネットワーク２から端末１に自由に転送および放送される。
【００３７】
好適には、修正マルチメディアファイル３４は、たとえばコミュニティソーシャルまたはＰ２Ｐネットワークなどの任意の交換ネットワークによって、無制限に転送および放送される。
【００３８】
好適には、修正マルチメディアファイル３４は、たとえばＤＶＤ、ＣＤ−ＲＯＭ、あるいはＵＳＢ、またはハードディスク型の任意の他のメモリなどの物理メディア４によって、無制限に転送および放送される。
【００３９】
好適には、修正マルチメディアファイル３４は、多数の端末１が自由に使える修正マルチメディアファイル３４を設置するために、１つか幾つかの従来式の視聴覚マルチメディアサーバ５によって、無制限に転送および放送される。
【００４０】
マルチメディアコンテンツは現在、ユーザ１ｉ，１ｊ，１ｋなどが利用できる。
端末１のユーザが、視聴覚コンテンツを見るか聴きたい場合、従来通りにネットワーク２を通じて、視聴覚サーバ５にログインする。端末１のユーザは、インターフェイス６を介してメニューをスクロールし、消費したいコンテンツを選択する。フィルムに対応する修正マルチメディアファイル３４は、サーバ５によって端末１に転送される。インターフェイス６は、たとえばスクリーン、拡声器、キーボード、マウスなどからなる。
【００４１】
修正マルチメディアファイル３４は、ハードディスクまたは任意の他の大容量記憶型からなるメモリ１０内に、図３のインターフェイス１４によって記録される。
端末１とサーバ５の間の接続によって、再生ユニット１１は、修正マルチメディアファイル３４のメタデータ、特に相補ファイル３３の参照を再生する。次に端末１は、クライアント／サーバモードでポータル３に接続する。次にポータル３は、修正マルチメディアファイル３４を消費する権限と、所有者の利用条件を満たしているように振舞う権限とが、ユーザに付与されることを確認する。次にポータル３は、同期方法で相補ファイル３３の要素を、再生ユニット１１に転送する。再生ユニット１１は、修正マルチメディアファイル３４と相補ファイル３３の要素に応じて、受信端末１による計算から、オリジナル視聴覚ファイルの部分統合を再形成する。次にオリジナル視聴覚コンテンツの部分統合は、インターフェイス１２を介して、スクリーン６上に表示される。
【００４２】
好適には、再形成コンテンツの部分統合は、修正マルチメディアファイル３４に関する第１情報の受信と、相補ファイル３３の第１要素の受信とによって実施される。
好適には、再形成コンテンツの統合は、ポータル３の制御下で、端末１のメモリ１０内に記録される。
【００４３】
好適には、再形成コンテンツの統合は、たとえばＤＶＤ、ＣＤ−ＲＯＭ、ＵＳＢメモリ装置などの物理メディア７によって、ポータル３の制御下で記録される。
特定の実施形態において、ユーザは、インターフェイス６を通じてマークした２つの時点（開始時点ｔ１，終了時点ｔ２）の間のコンテンツの抽出物を保存することを、再生ユニット１１に要求する。再生ユニット１１は、メタデータと、抽出物の開始時点ｔ１と終了時点ｔ２のタイムコードとを編集することによって、オリジナル修正マルチメディアファイル３４と同じ特性を備える新しい部分修正マルチメディアファイル１３内に、それらを記録する。従って新しい部分修正マルチメディアファイル１３は、開始時点ｔ１と終了時点ｔ２の間のオリジナル修正マルチメディアファイル３４の抽出物を含む。
【００４４】
好適には、開始時点ｔ１と終了時点ｔ２は、修正親コンテンツ３４の開始時点と終了時点に対応する。従って新しい修正マルチメディアファイル１３は、親修正マルチメディアファイル３４の全体を含む。
【００４５】
好適には、開始時点ｔ１と終了時点ｔ２の間の再形成コンテンツの部分統合は、ポータル３の制御下で、端末１のメモリ１０内に記録される。
好適には、開始時点ｔ１と終了時点ｔ２の間で再形成されたコンテンツの部分統合は、ポータル３の制御下で、たとえばＤＶＤ、ＣＤ−ＲＯＭ，ＵＳＢメモリなどの物理メディア７に記録される。
【００４６】
好適には、修正マルチメディアファイル１３は、ＤＶＤ、ＣＤ−ＲＯＭ、ＵＳＢメモリなどの物理メディア７に記録される。
別の実施形態において、ユーザは、時点ｔｉからだけ修正マルチメディアファイル３４を消費することを要求し、開始時点ｔ１は、スクリーン６上に表示されたインデックスレジスタテーブル３５から、ユーザによって選択される。従ってユーザは、時点ｔｉまで開始時点ｔ１からの修正マルチメディアファイル３４のダウンロードを待つ必要なく、視聴覚コンテンツを直ちに消費可能である。ポータル３は、ユーザの停止信号によって規定されるように、最大時点ｔｊまでの時点ｔｉで開始する修正マルチメディアファイル３４の部分だけを、ユーザの端末１にダウンロードする。
【００４７】
別の実施形態において、端末１のユーザは、タイムコード尺度で、視聴開始時点ｔｉについて任意の時間を選択する。
端末１のユーザが、修正マルチメディアファイル１３に対応するコンテンツを消費したい場合、ユーザの端末は、クライアント／サーバモードでポータル３に自動的に接続される。ポータル３は、修正マルチメディアファイル１３を消費する権利と、所有者の利用条件を満たしているように振舞う権利とが、ユーザ１に付与されることを確認する。次にポータル３は、相補ファイル３３の要素を、同期方法で再生ユニット１１に転送する。再生ユニット１１は、修正マルチメディアファイル１３の部分と、ポータル３によって転送された相補ファイル３３とに応じて、受信端末１による計算から、オリジナル視聴覚ファイルの部分統合を再形成する。次にオリジナル視聴覚コンテンツの部分統合は、インターフェイス１２を介して、スクリーン６上に表示される。
【００４８】
好適には、再形成コンテンツの部分統合は、ポータル３の制御下で、端末１のメモリ１０内に記録される。
好適には、再形成コンテンツの部分統合は、ポータル３の制御下で、ＤＶＤ、ＣＤ−ＲＯＭ、ＵＳＢメモリなどの物理メディア７に記録される。
【００４９】
好適には、修正マルチメディアファイルの全部または一部は、ＤＶＤ、ＣＤ−ＲＯＭ，ＵＳＢメモリなどのような物理メディア７に記録される。
別の実施形態において、端末１ｉのユーザは、修正マルチメディアファイル１３の全部または一部のコピーを、別の端末１ｊ，１ｋに転送する。
【００５０】
別の実施形態において、端末１のユーザは、新しい修正マルチメディアファイル１３を作成すべく、一連の修正マルチメディアファイル１３を、編集およびアセンブルする。次に新しい修正マルチメディアファイル１３は、任意の他の修正マルチメディアファイル１３のように、使用および放送可能である。
【００５１】
好適には、このように編集およびアセンブルされた修正マルチメディアファイル１３は、同じ修正マルチメディアファイル３４によって作成される。
好適には、このように編集およびアセンブルされた修正マルチメディアファイル１３は、幾つかの修正マルチメディアファイル３４から生じる。
【００５２】
本発明は、この特徴のためおよび添付図面において示されるような記載された好適実装に限定されない。修正を行うことは可能であるか、または本発明の範囲に影響を及ぼすことなく、等価物を用いることが可能である。
【図１】
2010508795.tif 000003
【図２】
2010508795.tif 000004
【図３】
2010508795.tif 000005
【国際調査報告】
2010508795.tif 000006
2010508795.tif 000007
2010508795.tif 000008
2010508795.tif 000009
2010508795.tif 000010
2010508795.tif 000011